(57)【要約】【課題】光心線分岐部を現場で簡単に組み立てられる分岐部把持部品を提供する。光心線収納ケースを小型化する。【解決手段】分岐部把持部品11は、多心光ケーブルを把持する幹側把持部15と、多心光ケーブルから分岐された少心光心線入り保護チューブを把持する中央把持部17Ａ、側方把持部17Ｂ、17Ｃを有している。光心線収納ケース33は一端側の中央部とその両側のコーナー部に把持部品取付け部39Ａ、39Ｂ、39Ｃを設けてあり、把持部品11の取付け方向を変えられる。分岐部把持部品11を収納ケース33の把持部品取付け部39Ａ、39Ｂ、39Ｃのいずれかに取り付けると、中央把持部17Ａの入口の閉塞板43が突出して中央把持部17Ａが使えなくなる。分岐された少心光心線入り保護チューブは側方把持部17Ｂ、17Ｃから収納ケース33に導入され、余長を収納される。分岐部把持部品11を単独で使用するときは中央把持部17Ａを使える。【選択図】図４
2008116595.tif 000002
【特許請求の範囲】
【請求項１】
多心光ケーブル又は多心光心線から少心光心線への分岐部を把持する部品であって、
底板上に、分岐前の多心光ケーブル又は多心光心線入り保護チューブを把持する１つの幹側把持部と、分岐後の少心光心線入り保護チューブを把持する３つの枝側把持部とが一体に形成され、
前記３つの枝側把持部は、前記幹側把持部と同じ方向に設けられた１つの中央把持部と、その中央把持部の両側へ斜めに分かれるように設けられた２つの側方把持部とからなり、
前記底板の中央把持部の入口に相当する位置には、中央把持部に少心光心線入り保護チューブを押し込めないようにする閉塞板が挿入される閉塞板挿入穴が形成されている、
ことを特徴とする光心線分岐部把持部品。
【請求項２】
中央把持部と側方把持部の間に、保留心線装着部が形成されていることを特徴とする請求項１記載の光心線分岐部把持部品。
【請求項３】
底面基板と、その底面基板の両側に平行に立設された壁により、多心光ケーブル又は多心光心線から分岐された少心光心線の余長を保護チューブに入れた状態で収納する余長収納部が形成され、
前記底面基板の一端側の中央部とその両側のコーナー部の３箇所に、請求項１又は２記載の光心線分岐部把持部品を取り付ける把持部品取付け部が設けられ、
前記底面基板の他端側の、前記壁の高さ方向中間位置に、両側の壁に跨るようにコネクタ支持板が設けられ、このコネクタ支持板上に分岐後の光心線の端部に取り付けられたコネクタを装着するコネクタ装着部が設けられ、
前記底面基板の各把持部品取付け部の領域内には、前記把持部品の閉塞板挿入穴に挿入される閉塞板が立設されている、
ことを特徴とする光心線収納ケース。
【請求項４】
請求項３記載の光心線収納ケースのいずれか１つの把持部品取付け部に、請求項１又は２記載の光心線分岐部把持部品を、閉塞板を閉塞板挿入穴に挿入し、係止片を係止片挿入穴に挿入した状態で取り付け、前記把持部品内に突出した閉塞板が把持部品の中央把持部の入口を塞ぐことにより中央把持部には分岐後の光心線入り保護チューブを押し込めないようになっていることを特徴とする光心線分岐部把持部品付き光心線収納ケース。
【発明の詳細な説明】
【技術分野】
【０００１】
本発明は、多心光ケーブル又は多心光心線から少心光心線への分岐部（ファンアウト分岐部）を把持する光心線分岐部把持部品と、それと組み合わせて使用される光心線収納ケースと、前記把持部品と光心線収納ケースとを組み合わせた光心線分岐部把持部品付き光心線収納ケースに関するものである。
【背景技術】
【０００２】
集合住宅などで、複数の加入者に光通信回線を開設する場合には、当該集合住宅に多心光ケーブル（ドロップケーブル）を引き込み、配線盤の中などで多心光ケーブルを少心光心線（通常は単心線）に分岐する必要がある。分岐された光心線は強度的に弱いので保護チューブを被せて補強される。しかし保護チューブを被せても、分岐部には短い区間ではあるが、光心線が露出するので、この部分を何らかの形で補強する必要がある。
【０００３】
従来、多心光ケーブル又は多心光心線から少心光心線への分岐部を補強する手段としては、分岐部を樹脂で封止すること等が公知である（特許文献１参照）。
【０００４】
また、光心線分岐部と分岐された複数本の光心線は通常、光心線収納ケースに収納される。加入者が発生したときは、分岐された光心線に加入者に配線される単心光ケーブルが接続され、その接続部は前記収納ケースに収納される（特許文献２参照）。
【０００５】
【特許文献１】特開２００１−２８１５０９号公報
【特許文献２】特開２００６−９８６１１号公報
【発明の開示】
【発明が解決しようとする課題】
【０００６】
樹脂封止型ファンアウト分岐部は、組立が面倒で組立に時間がかかるため、工場生産は可能であるものの、集合住宅などに引き込んだ多心光ケーブルに、工事現場で作り付けることは困難である。
【０００７】
また、従来の光心線分岐部を収納するケースは、大型なものが多く、大きな設置スペースを必要とするため、小規模の集合住宅などでは設置スペースを確保することが困難である。
【０００８】
本発明の目的は、光心線分岐部を工事現場で簡単に組み立てることができ、光心線の保護も確実な光心線分岐部把持部品と、その把持部品と組み合わせて使用される小型な光心線収納ケースと、前記把持部品と収納ケースとを組み合わせた光心線分岐部把持部品付き光心線収納ケースを提供することにある。
【課題を解決するための手段】
【０００９】
本発明に係る光心線分岐部把持部品は、多心光ケーブル又は多心光心線から少心光心線への分岐部を把持する部品であって、
底板上に、分岐前の多心光ケーブル又は多心光心線入り保護チューブを把持する１つの幹側把持部と、分岐後の少心光心線入り保護チューブを把持する３つの枝側把持部とが一体に形成され、
前記３つの枝側把持部は、前記幹側把持部と同じ方向に設けられた１つの中央把持部と、その中央把持部の両側へ斜めに分かれるように設けられた２つの側方把持部とからなり、
前記底板の中央把持部の入口に相当する位置には、中央把持部に少心光心線入り保護チューブを押し込めないようにする閉塞板が挿入される閉塞板挿入穴が形成されている、
ことを特徴とするものである。
【００１０】
本発明に係る光心線分岐部把持部品は、中央把持部と側方把持部の間に、保留心線装着部が形成されているものであることが好ましい。
【００１１】
また、本発明に係る光心線収納ケースは、
底面基板と、その底面基板の両側に平行に立設された壁により、多心光ケーブル又は多心光心線から分岐された少心光心線の余長を保護チューブに入れた状態で収納する余長収納部が形成され、
前記底面基板の一端側の中央部とその両側のコーナー部の３箇所に、請求項１又は２記載の光心線分岐部把持部品を取り付ける把持部品取付け部が設けられ、
前記底面基板の他端側の、前記壁の高さ方向中間位置に、両側の壁に跨るようにコネクタ支持板が設けられ、このコネクタ支持板上に分岐後の光心線の端部に取り付けられたコネクタを装着するコネクタ装着部が設けられ、
前記底面基板の各把持部品取付け部の領域内には、前記把持部品の閉塞板挿入穴に挿入される閉塞板が立設されている、
ことを特徴とするものである。
【００１２】
また、本発明に係る光心線分岐部把持部品付き光心線収納ケースは、上記のように構成された光心線収納ケースのいずれか１つの把持部品取付け部に、前記光心線分岐部把持部品を、閉塞板を閉塞板挿入穴に挿入し、係止片を係止片挿入穴に挿入した状態で取り付け、前記把持部品内に突出した閉塞板が把持部品の中央把持部の入口を塞ぐことにより中央把持部には分岐後の光心線入り保護チューブを押し込めないようになっていることを特徴とするものである。
【発明の効果】
【００１３】
本発明に係る光心線分岐部把持部品は、分岐前の多心光ケーブル又は多心光心線入り保護チューブを幹側把持部に押し込み、分岐後の少心光心線入り保護チューブを枝側把持部に押し込むだけで、簡単に補強された光心線分岐部を構成することができる。また、本発明に係る光心線分岐部把持部品は、光心線分岐部を保護する部品として単独で使用することもできるし、光心線収納ケースと組み合わせて、光心線収納ケースの導入口で光心線分岐部を保護する部品として使用することもできる。このため、部品点数を削減できると共に、光心線収納ケース内に光心線分岐部を収納する必要がなくなり、光心線収納ケースの小型化にも有効である。
【００１４】
また、本発明に係る光心線収納ケースは、３方向に光心線分岐部把持部品を取り付けられるようになっているので、収納ケースを設置する現場の状況に応じて光心線分岐部把持部品を取り付ける方向を選択することができ、分岐前の多心光ケーブル又は多心光心線入り保護チューブの配線を容易に行うことができる。また、収納ケースに把持部品を取り付けると、把持部品の中央把持部には分岐後の少心光心線入り保護チューブを押し込めなくなるので、結局、分岐後の少心光心線入り保護チューブは両側の側方把持部に振り分けて、右回りと左回りで収納することになり、光心線の許容曲げ径を確保しやすくなると共に、コネクタの付いた少心光心線の収納スペースを小さくでき、収納ケースを小型化できる。
【発明を実施するための最良の形態】
【００１５】
図１は本発明に係る光心線分岐部把持部品の一実施形態を示す。この把持部品１１は、柄の付いた扇のような形の底板１３を有し、この底板１３の柄に相当する部分に分岐前の多心光ケーブル又は多心光心線入り保護チューブを把持する１つの幹側把持部１５を形成し、扇形に広がった部分に分岐後の少心光心線入り保護チューブを把持する３つの枝側把持部１７Ａ、１７Ｂ、１７Ｃを形成したものである。
【００１６】
３つの枝側把持部のうち、１つの把持部は、幹側把持部１５と同じ方向に向く中央把持部１７Ａを構成しており、他の２つの把持部は、中央把持部１７Ａの両側へ斜めに分かれる側方把持部１７Ｂ、１７Ｃを構成している。中央把持部１７Ａに対する側方把持部１７Ｂ、１７Ｃの角度は４５度にすることが好ましい。
【００１７】
各把持部１５、１７Ａ〜１７Ｃは、底板１３上に相対する壁を立設して溝を形成し、その溝の内面に深さ方向にリブ１９を形成したものである。この把持部に多心光ケーブル又は多心光心線入り保護チューブを押し込むと、リブ１９が光ケーブルの外被又は光心線の保護チューブに食い込んで、光ケーブル又は光心線入り保護チューブを把持できるようになっている。このような把持部は従来から公知のものである。
【００１８】
また、底板１３の中央把持部１７Ａの入口に相当する位置には、閉塞板挿入穴２１が形成されている。この閉塞板挿入穴２１は、把持部品１１を後述する光心線収納ケースに組み付けたときに、収納ケース側の閉塞板が挿入されて、中央把持部１７Ａの入口に突出し、中央把持部１７Ａを使えないようにする（分岐された光心線入り保護チューブを押し込めないようにする）ためのものである。
【００１９】
また、底板１３の中央把持部１７Ａと側方把持部１７Ｂ、１７Ｃの間に相当する位置には、係止片挿入穴２３が形成されている。この係止片挿入穴２３は、把持部品１１を後述する収納ケースに組み付けたときに、収納ケース側の係止片が挿入されて、把持部品１１と収納ケースを結合する部分である。
【００２０】
また、中央把持部１７Ａと側方把持部１７Ｂ、１７Ｃの間には、凹形の保留心線装着部２５が形成されている。この保留心線装着部２５は、加入者に接続されない保留心線を保持しておく部分である。
【００２１】
また、幹側把持部１５及び側方把持部１７Ｂ、１７Ｃの内端部付近の底板１３上には、突条又は溝によるライン２７が形成されている。このライン２７は、各把持部に押し込まれる光ケーブルの外被の端部又は光心線の保護チューブの端部の位置を決める目安となるものである。光ケーブルの外被の端部又は光心線の保護チューブの端部の位置をライン２７で規制することにより、把持部品１１内に露出する光心線が許容曲げ径より小さい曲げ径に曲げられるのを防止できる。
【００２２】
また、底板１３の両側には、この把持部品１１を単独で使用するときに、把持部品１１を壁などに固定するためのブラケット２９が形成されている。
【００２３】
なお、この把持部品１１には、底板１３と同じ形の蓋（図示省略）が被せられるが、蓋を外したときに、把持部から光ケーブル又は光心線入り保護チューブが脱出することのないように、各把持部１５、１７Ａ〜１７Ｃの上端縁付近に飛び出し防止片３１が突設されている。
【００２４】
図２は、図１のように構成された把持部品１１で、光心線分岐部を把持した状態の一例を示す。符号１は多心光ケーブル、２は多心光ケーブル１の外被３を剥いで露出させた複数本の光心線、４は光心線２に被せた保護チューブである。光ケーブル１は外被３の部分を幹側把持部１５に押し込むことにより把持されている。また分岐された光心線２は保護チューブ４を被せた状態で一括して中央把持部１７Ａに押し込むことにより把持されている。このように、分岐前の多心光ケーブル１は幹側把持部１５に把持され、分岐後の光心線２は保護チューブ４を被せた状態で中央把持部１７Ａに把持されているため、分岐部に露出する光心線２には外力がかかるおそれがなく、分岐部の保護は確実である。また封止用の樹脂を使用しないため工事現場での組立も簡単である。
【００２５】
なお、図２では簡略化のため光ケーブル１が２心の場合を示したが、光ケーブル１は通常４心のテープ心線を有しており、６心、８心、１６心の場合もある。また図２では分岐された光心線２を中央把持部１７Ａで把持する場合を示したが、側方把持部１７Ａ、１７Ｂのどちらかで把持する場合や、２つの側方把持部１７Ａと１７Ｂに振り分けて把持する場合もある。また、幹側把持部１５は、多心光ケーブルではなく、多心テープ心線入り保護チューブを把持する場合もある。
【００２６】
図３は本発明に係る光心線収納ケースの一実施形態を示す。この光心線収納ケース３３は、ケースの底となる底面基板３５と、その底面基板３５の両側に平行に立設された壁３７とを有しており、この両者は、多心光ケーブル又は多心光心線から分岐された少心光心線の余長を保護チューブに入れた状態で収納する余長収納部を構成している。
【００２７】
底面基板３５の一端側の中央部とその両側のコーナー部には、前述した光心線分岐部把持部品１１を取り付けるための把持部品取付け部３９Ａ、３９Ｂ、３９Ｃが設けられている。コーナー部の把持部品取付け部３９Ｂ、３９Ｃは、中央部の把持部品取付け部３９Ａに対し４５度の角度で設けることが好ましい。中央部の把持部品取付け部３９Ａとコーナー部の把持部品取付け部３９Ｂ、３９Ｃの間には支持突起４１が立設されている。
【００２８】
また底面基板３５の各把持部品取付け部３９Ａ〜３９Ｃの領域内には、前記把持部品１１の閉塞板挿入穴２１に挿入される閉塞板４３と、係止片挿入穴２３に挿入される係止片４５とが立設されている。
【００２９】
また、前記底面基板３５の他端側には、両側の壁３７が伸び出しており、この壁３７の伸び出し部分の高さ方向中間位置には、両側の壁３７、３７に跨るようにコネクタ支持板４７が設けられている。したがって、底面基板３５とコネクタ支持板４７は壁３７の高さ方向に離れており、両者の間には光心線入り保護チューブを容易に通せるだけの隙間がある。コネクタ支持板４７上には、分岐後の光心線の端部に取り付けられたコネクタを装着する４つのコネクタ装着部４９が設けられている。
【００３０】
また、両側の壁３７、３７の外面には、この収納ケース３３を、壁などに取り付けるためのブラケット５１と、棚上で２本の垂直な支持棒に多段に取り付けるための弾性嵌合部５３が突設されている。
【００３１】
なお、この収納ケース３３にも、壁３７の上端縁に跨る形の蓋が被せられるが、図示を省略してある。
【００３２】
図４（Ａ）は上記のように構成された収納ケース３３に、図１に示す光心線分岐部把持部品１１と、コネクタ５５を組み付ける前の状態を示し、同図（Ｂ）は収納ケース３３の把持部品取付け部３９Ａに光心線分岐部把持部品１１を取り付け、コネクタ装着部４９にコネクタ５５を装着した状態を示す。把持部品１１を把持部品取付け部３９Ａに取り付けるときは、閉塞板挿入穴２１に閉塞板４３を挿入し、係止片挿入穴２３に係止片４５を挿入するようにして取り付ける。取付け後は、把持部品１１の両側が支持突起４１に支持された状態となる。また、係止片４５には把持部品１１側に引っ掛かる抜け止め突起５７が形成されているので、把持部品１１の取り付け状態は安定する。また、把持部品１１を把持部品取付け部３９Ａ（又は３９Ｂ、３９Ｃ）に取り付けると、図５に示すように閉塞板４３が把持部品１１内に突出して、中央把持部１７Ａの入口を塞ぐため、中央把持部１７Ａには分岐後の光心線入り保護チューブを押し込めなくなる。
【００３３】
図４（Ｂ）は把持部品１１を中央部の把持部品取付け部３９Ａに取り付けた場合であるが、把持部品１１をコーナー部の把持部品取付け部３９Ｂに取り付けると図６のようになる。このように、この収納ケース３３は、把持部品１１を、方向の異なる３つの把持部品取付け部３９Ａ〜３９Ｂのいずれかに選択的に取り付けることが可能である。
【００３４】
次に、以上のように構成された光心線分岐部把持部品１１及び光心線収納ケース３３の使用状態を図７ないし図１０を参照して説明する。
【００３５】
まず、図７（Ａ）〜（Ｄ）を参照して、光心線分岐部把持部品１１を取り付けた光心線収納ケース３３の使用状態を説明する。光心線収納ケース３３は４心用であるので、把持部品１１の幹側把持部１５には４心光ケーブル（又は４心テープ心線入り保護チューブ）１が導入される。
【００３６】
（Ａ）は、把持部品１１内で４心光ケーブル１を４本の光心線２に分岐し、そのうちの１本の光心線２に保護チューブ４を被せて一方の側方把持部１７Ｃから収納ケース３３内に引き出し、右回りに１ループ分の余長をとった上で、その先端に取り付けたコネクタ５５を最も上記側方把持部１７Ｃ寄りの第一のコネクタ装着部４９に装着した状態である。残りの３本の光心線２は保留チューブ５を被せて保留心線装着部２５から収納ケース３３内に引き出し、ループ状にして、収納ケース３３に収納しておく。コネクタ５５には１軒目の加入者への光ケーブルが接続される。
【００３７】
（Ｂ）は加入者が２軒に増えた場合である。この場合は、保留チューブ５から光心線２を１本引き出し、その光心線２に保護チューブ４を被せて一方の側方把持部１７Ｃから収納ケース３３内に導入し、右回りに１ループ分の余長をとった上で、その先端に取り付けたコネクタ５５を上記第一のコネクタ装着部４９の隣りの第二のコネクタ装着部４９に装着する。２番目のコネクタ５５には２軒目の加入者への光ケーブルが接続される。
【００３８】
（Ｃ）は加入者が３軒に増えた場合である。この場合は、保留チューブ５から光心線２を１本引き出し、その光心線２に保護チューブ４を被せて今度は他方の側方把持部１７Ｂから収納ケース３３内に導入し、左回りに１ループ分の余長をとった上で、その先端に取り付けたコネクタ５５を上記第二のコネクタ装着部４９の隣りの第三のコネクタ装着部４９に装着する。３番目のコネクタ５５には３軒目の加入者への光ケーブルが接続される。
【００３９】
（Ｄ）は加入者が４軒に増えた場合である。この場合は、保留チューブ５から残る１本の光心線２を引き出し、その光心線２に保護チューブ４を被せて他方の側方把持部１７Ｂから収納ケース３３内に導入し、左回りに１ループ分の余長をとった上で、その先端に取り付けたコネクタ５５を最も上記側方把持部１７Ｂ寄りの第四のコネクタ装着部４９に装着する。４番目のコネクタ５５には４軒目の加入者への光ケーブルが接続される。
【００４０】
このように、光心線分岐部把持部品１１を取り付けた光心線収納ケース３３は、小規模の集合住宅などで加入者の増加に順次対応することができる。また、収納ケース３３の幅はコネクタ５５を横並びに４個装着できる幅に抑えてあるが、分岐後の光心線２は左右の側方把持部１７Ｂ、１７Ｃにより２本ずつ右回りと左回りに振り分けて余長を確保するようにしているので、光心線２が無理に小さな曲げ径に曲げられるおそれがない。したがって収納ケース３３が非常に小型なものとなり、配電盤内の空きスペース等に設置することが可能となる。
【００４１】
また、分岐部把持部品１１の２つの側方把持部１７Ｂ、１７Ｃは中央把持部１７Ａに対し４５度の角度で形成されており、かつ、収納ケース３３のコーナー部２箇所の把持部品取付け部３９Ｂ、３９Ｃも中央部１箇所の把持部品取付け部３９Ａに対し４５度の角度で形成されているため、分岐部把持部品１１の２つの側方把持部１７Ｂ、１７Ｃから収納ケース３３内に導入される光心線２入り保護チューブ４はスムーズに右回りと左回りに案内されて余長ループを形成することができる。図７の例は把持部品１１を収納ケース３３の中央の把持部品取付け部３９Ａに取り付けた場合であるが、把持部品１１をコーナー部の把持部品取付け部３９Ｂ又は３９Ｃに取り付けた場合も同様である。
【００４２】
さらに、分岐部把持部品１１を収納ケース３３の把持部品取付け部３９Ａ〜３９Ｃのいずれかに取り付けると、把持部品１１の中央把持部１７Ａの入口に閉塞板４３が突出して（図５参照）、中央把持部１７Ａが使えないようになるため、分岐後の光心線２入り保護チューブ４を誤って中央把持部１７Ａに押し込むおそれがなく、この点からも光心線２が無理に小さな曲げ径に曲げられるのを防止できる。
【００４３】
ところで、光心線分岐部把持部品１１は、図７のように光心線収納ケース３３に組み付けて使用する場合以外に、単独で使用することもできる。その使用例を図８〜図１０に示す。図８〜図１０において、５９は小規模集合住宅などに設置された配電盤、６１はその中に既に組み付けられている電気機器である。つまり、これらの例は、配電盤５９内の空きスペースに光心線分岐部把持部品１１付きの光心線収納ケース３３を設置する場合を示している。
【００４４】
図８及び図９は配電盤５９内に８心光ケーブル１が引き込まれた場合である。光心線収納ケース３３は４心用であるから、この場合は配電盤５９内に把持部品１１付きの光心線収納ケース３３を２組設置する。そのほかに光心線分岐部把持部品１１を単独で設置する。８心光ケーブル１は２本の４心テープ心線６に分岐し、それぞれの４心テープ心線６に保護チューブ７を被せる。この状態で、図８では、単独で設置された光心線分岐部把持部品１１の幹側把持部１５に８心光ケーブル１を押し込み、中央把持部１７Ａに２本の４心テープ心線６入り保護チューブ７を押し込んで、１段目の分岐部を完成させる。その後、２本の４心テープ心線６の先端側を単心線に分岐して、４心テープ心線６が入った保護チューブ７の先端部を、収納ケース３３に取り付けられた把持部品１１の幹側把持部１５に押し込む。その後の処理は図７の場合と同様である。
【００４５】
また図９の例は、配電盤５９内に２組の把持部品１１付き光心線収納ケース３３が離れて設置されているため、単独で設置された把持部品１１の側方把持部１７Ｂ、１７Ｃに４心テープ心線６入り保護チューブ７を１本ずつ押し込んで、４心テープ心線６入り保護チューブ７の引き出し方向を収納ケース３３の配置に合わせたものである。それ以外は図８の例と同じである。
【００４６】
図１０は配電盤５９内に把持部品１１付き収納ケース３３が１組設置され、４心光ケーブル１が引き込まれる場合であるが、光ケーブル１の引き込位置と収納ケース３３の設置位置が横方向ずれているため、光ケーブル１の引き込み位置に把持部品１１を単独で設置し、光ケーブル１を、単独で設置された把持部品１１の幹側把持部１５と一方の側方把持部１７Ｃに押し込んで、光ケーブル１の配線が無理なく安定して行えるようにしたものである。つまり、この例では把持部品１１を光ケーブル１のガイド部品として使用している。
【００４７】
以上のように光心線分岐部把持部品１１は、光心線収納ケース３３と組み合わせて使用することもできるし、単独で使用することもできるので、部品の種類を削減できるという効果がある。
【図面の簡単な説明】
【００４８】
【図１】本発明に係る光心線分岐部把持部品の一実施形態を示す、（Ａ）は平面図、（Ｂ）は斜視図。
【図２】図１の光心線分岐部把持部品で光心線分岐部を組み立てた状態を示す、（Ａ）は平面図、（Ｂ）は斜視図。
【図３】本発明に係る光心線収納ケースの一実施形態を示す、（Ａ）は平面図、（Ｂ）は斜視図。
【図４】（Ａ）は図３の光心線収納ケースに図１の光心線分岐部把持部品及びコネクタを組み付ける前の状態を示す斜視図、（Ｂ）は同じく組み付けた後の斜視図。
【図５】図３の光心線収納ケースに図１の光心線分岐部把持部品を組み付けた状態を図４（Ｂ）と反対側から見た斜視図。
【図６】図３の光心線収納ケースの図４（Ｂ）とは別の箇所に図１の光心線分岐部把持部品を組み付けた状態を示す斜視図。
【図７】（Ａ）〜（Ｃ）は本発明に係る光心線分岐部把持部品付き光心線収納ケースの使用状態を示す正面図。
【図８】本発明に係る光心線分岐部把持部品及び光心線分岐部把持部品付き光心線収納ケースの使用状態の一例を示す正面図。
【図９】同じく他の例を示す正面図。
【図１０】同じくさらに他の例を示す正面図。
【符号の説明】
【００４９】
１：多心光ケーブル
２：光心線
３：多心光ケーブルの外被
４：保護チューブ
５：保留チューブ
６：４心テープ心線
７：保護チューブ
１１：光心線分岐部把持部品
１３：底板
１５：幹側把持部
１７Ａ：中央把持部（枝側把持部）
１７Ｂ、１７Ｃ：側方把持部（枝側把持部）
２１：閉塞板挿入穴
２３：係止片挿入穴
２５：保留心線装着分岐部
３３：光心線収納ケース
３５：底面基板
３７：壁
３９Ａ：中央部の把持部品取付け部
３９Ｂ：３９Ｃ：コーナー部の把持部品取付け部
４１：支持突起
４３：閉塞板
４５：係止片
４７：コネクタ支持板
４９：コネクタ装着分岐部
５５：コネクタ
【図１】
2008116595.tif 000003
【図２】
2008116595.tif 000004
【図３】
2008116595.tif 000005
【図４】
2008116595.tif 000006
【図５】
2008116595.tif 000007
【図６】
2008116595.tif 000008
【図７】
2008116595.tif 000009
【図８】
2008116595.tif 000010
【図９】
2008116595.tif 000011
【図１０】
2008116595.tif 000012